(57)【要約】【課題】吐出口の広がる程度や吐出口の横断面積を簡単に変更できる吐水具およびトイレを提供する。【解決手段】トイレ１２は、小便器１８と吐水具１０とを備えている。吐水具１０は、洗浄水を尿受け面３０に吐出するものであり、給水口３４に対向するように設けられた板状の第１部材４０と、小便器１８の壁部２６と第１部材４０との間に着脱可能に設けられた板状の第２部材４２とを備えている。第２部材４２は、洗浄水を下方に吐出するための吐出口Ｒを構成する切欠き部５２を有している。切欠き部５２は、尿受け面３０に沿った方向の幅が下方に向けて徐々に広くなるように、扇形に形成されている。したがって、第２部材４２を厚さが異なるものに交換するだけで、吐出口Ｒの横断面積を変更することができる。また、第２部材４２を切欠き部５２の広がる程度が異なるものに交換するだけで、吐出口Ｒの広がる程度を変更することができる。【選択図】図３
2019007278.tif 000002
【特許請求の範囲】
【請求項１】
尿受け面が形成された壁部に設けられた給水口に取り付け可能に構成され、前記給水口から供給された洗浄水を前記尿受け面に吐出する便器用の吐水具であって、
前記給水口に対向するように設けられる板状の第１部材と、
前記壁部と前記第１部材との間に着脱可能に設けられる板状の第２部材とを備え、
前記第２部材は、前記給水口から供給された洗浄水を下方に吐出するための吐出口を構成する切欠き部を有しており、
前記切欠き部は、前記尿受け面に沿った方向の幅が下方に向けて徐々に広くなるように形成されている、便器用の吐水具。
【請求項２】
前記切欠き部の内面は、下方に向けて広がるＶ字状に形成されている、請求項１に記載の便器用の吐水具。
【請求項３】
前記第２部材は、ゴム弾性を有する材料で形成されている、請求項１または２に記載の便器用の吐水具。
【請求項４】
雄ネジ部と雌ネジ部とを有する取付部をさらに備え、
前記第１部材には、第１貫通孔が設けられており、
前記第２部材には、第２貫通孔が設けられており、
前記壁部には、第３貫通孔が設けられており、
前記雄ネジ部は、前記第１貫通孔、前記第２貫通孔および前記第３貫通孔に挿通されて、前記雌ネジ部にねじ込まれている、請求項１ないし３のいずれか１項に記載の便器用の吐水具。
【請求項５】
前記第２貫通孔は、前記尿受け面に沿った方向に延びる長孔である、請求項４に記載の便器用の吐水具。
【請求項６】
前記壁部における前記尿受け面とは反対側の面に設けられる固定部材を備えており、
前記固定部材は、一方端部が前記給水口に接続され、かつ、他方端部が給水管に接続される筒状の継手部と、前記一方端部に設けられたフランジ部とを有しており、
前記フランジ部には、前記雄ネジ部が挿通される第４貫通孔が設けられている、請求項４または５に記載の便器用の吐水具。
【請求項７】
請求項１ないし６のいずれか１項に記載の便器用の吐水具と、
前記便器用の吐水具が取り付けられた便器とを備える、トイレ。
【請求項８】
前記便器は、前記尿受け面が形成された前記壁部と、前記壁部に設けられた前記給水口と、前記壁部の下部から使用者側に突出して設けられたボール部とを有しており、
前記給水口は、前記尿受け面の幅方向中央部に開口されており、
前記給水口よりも下方における前記尿受け面の幅方向中央部を挟んだ両側の部分には、前記便器用の吐水具から吐出された洗浄水を前記ボール部の使用者側の部分の内面に導くための上方に向いた導水面を有する段差部が設けられている、請求項７に記載のトイレ。
【発明の詳細な説明】
【技術分野】
【０００１】
本発明は、便器の尿受け面に向けて洗浄水を吐出する便器用の吐水具およびそれを用いたトイレに関する。
【背景技術】
【０００２】
特許文献１には、従来の便器用の吐水具としてのスプレッダーが記載されている。このスプレッダーは、便器の尿を受ける背壁面に挿着される挿着管部と、挿着管部の先端部に設けられた覆蓋部とを有している。覆蓋部の下部には、洗浄水を射水するための射水口が下方に向かって扇状に広がるように形成されている。したがって、このスプレッダーでは、射水口から射水された洗浄水を扇状に広げて背壁面に与えることが可能であり、背壁面の広い範囲を効率よく洗浄できる。
【先行技術文献】
【特許文献】
【０００３】
【特許文献１】特許第３１６０７０６号公報
【０００４】
しかしながら、特許文献１に記載されたスプレッダーでは、射水口が１つの部品で一定の形状および大きさに形成されていたので、射水口の広がる角度や射水口の横断面積を調整することができなかった。そのため、射水口の広がる角度や射水口の横断面積を使用環境などに応じて変更したいときには、スプレッダーの全体を交換する必要があり、その交換作業が面倒であるという問題があった。
【発明の概要】
【０００５】
本発明は上記問題に対処するためになされたものであり、吐出口の広がる程度や吐出口の横断面積を簡単に変更することができる便器用の吐水具およびそれを用いたトイレを提供することを目的とする。
【０００６】
上記目的を達成するため、本発明に係る便器用の吐水具の特徴は、尿受け面が形成された壁部に設けられた給水口に取り付け可能に構成され、給水口から供給された洗浄水を尿受け面に吐出する便器用の吐水具であって、給水口に対向するように設けられる板状の第１部材と、壁部と第１部材との間に着脱可能に設けられる板状の第２部材とを備え、第２部材は、給水口から供給された洗浄水を下方に吐出するための吐出口を構成する切欠き部を有しており、切欠き部は、尿受け面に沿った方向の幅が下方に向けて徐々に広くなるように形成されていることにある。
【０００７】
この構成では、切欠き部を有する第２部材が壁部と第１部材との間に着脱可能に設けられており、これにより、下方に向けて開口された吐出口が構成されているので、第２部材を厚さが異なるものに交換するだけで、吐出口の横断面積を変更することができる。また、切欠き部は、尿受け面に沿った方向の幅が下方に向けて徐々に広くなるように形成されており、これにより、吐出口の幅が下方に向けて徐々に広くなっているので、第２部材を切欠き部の広がる程度が異なるものに交換するだけで、吐出口の広がる程度を変更することができる。つまり、第２部材を交換するだけで、吐出口の横断面積および吐出口の広がる程度の少なくとも一方を簡単に変更することができる。
【０００８】
第２部材は、切欠き部を有する単純な板状の部材であるため、複数種類の第２部材を交換のために予め準備しておく場合でも、これらを簡単かつ安価に製造することができる。また、第２部材は、板状の部材であるため、狭小なスペースでも嵩張ることなく保管することができる。
【０００９】
本発明に係る便器用の吐水具の他の特徴は、切欠き部の内面は、下方に向けて広がるＶ字状に形成されていることにある。
【００１０】
この構成では、切欠き部の内面が単純なＶ字状であることから、切欠き部を簡単に形成することができる。また、複数種類の第２部材を交換のために予め準備しておく場合には、Ｖ字状の内面が成す角度を変更するだけで、各第２部材間において、吐出口の広がる程度を簡単に異ならせることができる。
【００１１】
本発明に係る便器用の吐水具の他の特徴は、第２部材は、ゴム弾性を有する材料で形成されていることにある。
【００１２】
この構成では、壁部と第１部材との間に第２部材を挟んだときに、第２部材を圧縮することができるので、第２部材をシール材（ガスケット）として機能させることができる。
【００１３】
本発明に係る便器用の吐水具の他の特徴は、雄ネジ部と雌ネジ部とを有する取付部をさらに備え、第１部材には、第１貫通孔が設けられており、第２部材には、第２貫通孔が設けられており、壁部には、第３貫通孔が設けられており、雄ネジ部は、第１貫通孔、第２貫通孔および第３貫通孔に挿通されて、雌ネジ部にねじ込まれていることにある。
【００１４】
この構成では、雌ネジ部に対する雄ネジ部のねじ込み量を調整することによって、第１部材と壁部との間隔を調整できるので、第２部材を厚さが異なるものに交換した場合でも、第１部材と壁部との間で第２部材を圧縮することができる。
【００１５】
本発明に係る便器用の吐水具の他の特徴は、第２貫通孔は、尿受け面に沿った方向に延びる長孔であることにある。
【００１６】
第２部材の切欠き部は、給水口から供給された洗浄水を下方に吐出するための吐出口を構成する部分であり、尿受け面に対して直交する方向において給水口と位置的に重なるように設けられる。給水口から吐出口に流入する洗浄水の流路は、給水口と切欠き部との重なり量が大きくなるほど広くなる。上記構成では、第２部材を長孔が延びる方向に移動させることによって、給水口と切欠き部との重なり量を調整できるので、洗浄水の流路の広さを調整できる。
【００１７】
本発明に係る便器用の吐水具の他の特徴は、壁部における尿受け面とは反対側の面に設けられる固定部材を備えており、固定部材は、一方端部が給水口に接続され、かつ、他方端部が給水管に接続される筒状の継手部と、一方端部に設けられたフランジ部とを有しており、フランジ部には、雄ネジ部が挿通される第４貫通孔が設けられていることにある。
【００１８】
この構成では、フランジ部には、雄ネジ部が挿通される第４貫通孔が設けられているので、雄ネジ部と雌ネジ部とでフランジ部を壁部に固定できる。これにより、継手部の一方端部を給水口に固定できるとともに、第１部材および第２部材を壁部に取り付けることができる。
【００１９】
上記目的を達成するため、本発明に係るトイレの特徴は、上記のいずれかの便器用の吐水具と、便器用の吐水具が取り付けられた便器とを備えることにある。
【００２０】
この構成では、上記のいずれかの便器用の吐水具を備えることにより、第２部材を交換するだけで、吐出口の横断面積および吐出口の広がる程度の少なくとも一方を簡単に変更することができる。
【００２１】
本発明に係るトイレの他の特徴は、便器は、尿受け面が形成された壁部と、壁部に設けられた給水口と、壁部の下部から使用者側に突出して設けられたボール部とを有しており、給水口は、尿受け面の幅方向中央部に開口されており、給水口よりも下方における尿受け面の幅方向中央部を挟んだ両側の部分には、便器用の吐水具から吐出された洗浄水をボール部の使用者側の部分の内面に導くための上方に向いた導水面を有する段差部が設けられていることにある。
【００２２】
この構成において、段差部は、給水口よりも下方における尿受け面の幅方向中央部を挟んだ両側の部分に設けられているが、便器用の吐水具は、尿受け面の広い範囲に洗浄水を吐出することができるので、洗浄水を段差部に到達させることができる。したがって、洗浄水の一部を、導水面に流して、ボール部の前部の内面に与えることができ、ボール部の内面を効果的に洗浄できる。
【図面の簡単な説明】
【００２３】
【図１】実施形態に係る便器用の吐水具を用いたトイレの構成を示す斜視図である。
【図２】実施形態に係る便器用の吐水具を用いたトイレの要部の構成を示す正面図である。
【図３】図３（Ａ）は、便器用の吐水具の構成を示す正面図であり、図３（Ｂ）は、便器用の吐水具の構成を示す断面図である。
【図４】実施形態に係る便器用の吐水具の構成を示す分解斜視図である。
【図５】第２部材の変形例を示す斜視図である。
【図６】第２部材の他の変形例を示す斜視図である。
【発明を実施するための形態】
【００２４】
以下、本発明に係る便器用の吐水具およびトイレの実施形態について図面を参照しながら説明する。なお、以下の説明では、トイレを使用する使用者から見て、左側を「左」、右側を「右」、手前側を「前」、奥側を「後」としている。これらの各方向は、図面中に矢印で示した各方向と一致する。
【００２５】
（トイレ１２の構成）
図１は、実施形態に係る便器用の吐水具（以下、単に「吐水具」と言う。）１０を用いたトイレ１２の構成を示す斜視図であり、図２は、トイレ１２の要部の構成を示す正面図である。図1に示すトイレ１２は、工事現場、イベント会場、災害時の避難所などに設置される小便用の仮設トイレである。なお、本発明に係るトイレは、仮設トイレに限定されるものではなく、一般家屋や店舗などで使用される常設トイレとして構成されてもよい。
【００２６】
図１に示すように、トイレ１２は、便槽１４を収容した矩形の基部１６と、基部１６の上面１６ａに設けられた小便器１８と、小便器１８に取り付けられた吐水具１０と、洗浄水を貯留する貯水タンク２０と、人力で駆動されるポンプ２２とを備えている。
【００２７】
図１および図２に示すように、小便器１８は、平面視でＵ字状の壁部２６とスリ鉢状のボール部２８とを有している。壁部２６は、使用者と正対する中央部２６ａと、中央部２６ａの左端部から使用者側へ突出して設けられた左側部２６ｂと、中央部２６ａの右端部から使用者側へ突出して設けられた右側部２６ｃとを有している。中央部２６ａ、左側部２６ｂおよび右側部２６ｃのそれぞれは、ＦＲＰ（繊維強化プラスチック）によって一体的に形成されており、これらの内面には、使用者が放出した尿を受ける尿受け面３０が形成されている。
【００２８】
ボール部２８は、使用者が滴下させた尿を受ける部分であり、壁部２６の下部から使用者側に突出して設けられている。ボール部２８は、ＦＲＰ（繊維強化プラスチック）によって壁部２６と一体的に形成されており、ボール部２８の内面は、壁部２６の尿受け面３０に対して、滑らかに連続して形成されている。ボール部２８の底部には、排水口３２（図２）が設けられている。
【００２９】
図２に示すように、壁部２６の中央部２６ａの上部には、給水口３４が設けられている。給水口３４は、壁部２６を厚さ方向に貫通する円形孔であり、尿受け面３０の幅方向中央部３０ａに開口されている。給水口３４よりも下方における尿受け面３０の幅方向中央部３０ａを挟んだ両側の部分３０ｂ，３０ｃには、第１段差部３６および第２段差部３８が設けられている。本実施形態では、尿受け面３０の幅方向中央部３０ａを挟んだ両側の部分３０ｂ，３０ｃが、左側部２６ｂおよび右側部２６ｃの内面に形成されており、第１段差部３６および第２段差部３８は、これらの内面に設けられている。第１段差部３６および第２段差部３８は、吐水具１０から吐出された洗浄水をボール部２８の使用者側に位置する部分（以下、「前部」という。）２８ａの内面に導くためのガイド部である。
【００３０】
図２に示すように、第１段差部３６は、上方に向いた線状の導水面３６ｃを有している。第１段差部３６の上端部３６ａは、左側部２６ｂにおける中央部２６ａ側の端部に設けられており、第１段差部３６の下端部３６ｂは、ボール部２８の前部２８ａの内面に設けられている。第２段差部３８は、上方に向いた線状の導水面３８ｃを有している。第２段差部３８の上端部３８ａは、右側部２６ｃにおける中央部２６ａ側の端部に設けられており、第２段差部３８の下端部３８ｂは、ボール部２８の前部２８ａの内面に設けられている。したがって、各段差部３６，３８に到達した洗浄水の一部は、導水面３６ｃ，３８ｃを流れて、ボール部２８の前部２８ａの内面に与えられる。
【００３１】
（吐水具１０の構成）
図３（Ａ）は、吐水具１０の構成を示す正面図であり、図３（Ｂ）は、吐水具１０の構成を示す断面図である。図４は、吐水具１０の構成を示す分解斜視図である。図２に示す吐水具１０は、給水口３４から供給された洗浄水を尿受け面３０に吐出する部分であり、給水口３４に取り付け可能に構成されている。なお、図２では、吐水具１０から吐出された洗浄水の流れを破線矢印で示している。
【００３２】
図３（Ｂ）に示すように、吐水具１０は、小便器１８の給水口３４に対向するように設けられる板状の第１部材４０と、小便器１８の壁部２６と第１部材４０との間に着脱可能に設けられる板状の第２部材４２と、壁部２６における尿受け面３０とは反対側の背面４４に設けられる固定部材４６と、取付部４８とを備えている。
【００３３】
図３（Ｂ）に示すように、第１部材４０は、壁部２６との間で第２部材４２を圧縮するとともに、給水口３４から供給された洗浄水を下方に吐出するための吐出口Ｒを構成するものであり、ステンレスなどの腐食し難く、かつ、剛性が高い材料によって板状に形成されている。第１部材４０の大きさは、給水口３４の内周部に第２部材４２を押し付けることができるように、給水口３４よりも十分に大きくされている。図４に示すように、本実施形態では、第１部材４０が円形の板状に形成されており、第１部材４０の直径は、給水口３４の口径よりも十分に大きくされている。第１部材４０における上下方向の中央部よりも上方に位置する部分には、第１部材４０を厚さ方向に貫通する複数（本実施形態では２つ）の第１貫通孔５０ａ，５０ｂが設けられている。第１部材４０の厚さや直径は、特に限定されるものではないが、本実施形態では、厚さが１．５ｍｍに定められており、直径が５０ｍｍに定められている。
【００３４】
図３（Ｂ）に示すように、第２部材４２は、ゴムまたはエラストマなどのゴム弾性を有する材料によって板状に形成されている。第２部材４２は、吐出口Ｒを構成する切欠き部５２を有しており、第２部材４２の切欠き部５２を除いた部分の大きさは、第１部材４０の対応する部分の大きさとほぼ同じにされている。図４に示すように、本実施形態では、第２部材４２がほぼ円形の板状に形成されており、第２部材４２の切欠き部５２を除いた部分の直径は、第１部材４０の直径とほぼ同じにされている。図４に示す第２部材４２の圧縮されていないときの厚さＴは、２〜１０ｍｍの範囲内で定められている。なお、第２部材４２の厚さＴは、特に限定されるものではなく、２〜１０ｍｍの範囲外に定められてもよい。
【００３５】
図４に示すように、切欠き部５２は、尿受け面３０に沿った方向（左右方向）の幅が下方に向けて徐々に広くなるように形成されている。図３（Ａ）に示すように、本実施形態では、切欠き部５２の内面５２ａが、第２部材４２の中心Ｐから下方に向けて広がるＶ字状に形成されており、Ｖ字状の谷部において内面５２ａが成す角度θは８０〜１２０度の範囲内で定められている。つまり、本実施形態の切欠き部５２は、中心角θが８０〜１２０度の扇形に形成されている。なお、切欠き部５２の中心角θは、切欠き部５２の尿受け面３０に沿った方向（左右方向）の幅が下方に向けて徐々に広くなる角度であればよく、８０〜１２０度の範囲外に定められてもよい。
【００３６】
図４に示すように、第２部材４２における上下方向の中央部よりも上方に位置する部分には、第２部材４２を厚さ方向に貫通する複数（本実施形態では２つ）の第２貫通孔５４ａ，５４ｂが、第１部材４０に設けられた第１貫通孔５０ａ，５０ｂと連通するように設けられている。図３（Ａ）に示すように、第２部材４２の中心Ｐは、給水口３４の中心軸上に位置決めされている。したがって、給水口３４から供給される洗浄水を吐出口Ｒに受け入れるための流路５６の断面は、中心角θが８０〜１２０度の扇形となる。
【００３７】
図３（Ｂ）に示すように、固定部材４６は、小便器１８の給水口３４に給水管５８を接続するとともに、小便器１８の壁部２６に第１部材４０および第２部材４２を取り付けるものであり、ステンレスなどの金属によって一体的に形成されている。固定部材４６は、一方端部６０ａが給水口３４に接続され、かつ、他方端部６０ｂが給水管５８に接続される筒状の継手部６０と、継手部６０の一方端部６０ａに設けられ、小便器１８の壁部２６に接続されるフランジ部６２とを有している。図４に示すように、フランジ部６２には、取付部４８の雄ネジ部７２ａ，７２ｂ，７２ｃが挿通される複数（本実施形態では３つ）の第４貫通孔６４ａ，６４ｂ，６４ｃが設けられており、壁部２６における第４貫通孔６４ａ，６４ｂ，６４ｃに対応する部分には、第３貫通孔６６ａ，６６ｂ，６６ｃが設けられている。図３（Ｂ）に示すように、継手部６０の他方端部６０ｂには、給水管５８の端部に設けられた雌ネジ部６８がねじ込まれる雄ネジ部７０が設けられている。
【００３８】
図３（Ｂ）に示すように、取付部４８は、第１部材４０、第２部材４２および固定部材４６を小便器１８の壁部２６に取り付けるものであり、図４に示すように、複数（本実施形態では３つ）の雄ネジ部７２ａ，７２ｂ，７２ｃと複数（本実施形態では３つ）の雌ネジ部７４ａ，７４ｂ，７４ｃとを有している。
【００３９】
図３（Ａ），（Ｂ）に示す吐水具１０を小便器１８の壁部２６（図２）に取り付ける際には、図４に示すように、まず、取付部４８の雄ネジ部７２ｃを、壁部２６の第３貫通孔６６ｃおよび固定部材４６の第４貫通孔６４ｃにこの順に挿通させて、雌ネジ部７４ｃにねじ込む。続いて、取付部４８の雄ネジ部７２ａ，７２ｂを、第１部材４０の第１貫通孔５０ａ，５０ｂ、第２部材４２の第２貫通孔５４ａ，５４ｂ、壁部２６の第３貫通孔６６ａ，６６ｂおよび固定部材４６の第４貫通孔６４ａ，６４ｂにこの順に挿通させて、雌ネジ部７４ａ，７４ｂにねじ込む。
【００４０】
このとき、雌ネジ部７４ａ，７４ｂに対する雄ネジ部７２ａ，７２ｂのねじ込み量を調整することによって、図３（Ｂ）に示す第１部材４０と壁部２６との間隔ｔを、図４に示す第２部材４２の厚さＴよりも短くし、第１部材４０と壁部２６との間で第２部材４２を圧縮する。吐水具１０を小便器１８の給水口３４に取り付けた後は、図３（Ｂ）に示すように、継手部６０の他方端部６０ｂに、雌ネジ部６８を介して給水管５８（図１）を接続する。
【００４１】
（吐水具１０およびトイレ１２の作動）
図１に示すトイレ１２を使用する際には、使用者は、基部１６の上面１６ａにおける小便器１８の前に立ち、小便器１８の尿受け面３０に向けて放尿する。放尿が完了すると、使用者は、ポンプ２２のレバー２２ａを足で踏む。すると、貯水タンク２０の洗浄水が、給水管５８および給水口３４を通して吐水具１０に与えられ、吐水具１０から尿受け面３０に吐出される。
【００４２】
図３（Ａ）に示すように、第２部材４２の切欠き部５２は、中心角θが８０〜１２０度の扇形に形成されており、これにより、吐水具１０の内部に構成された吐出口Ｒは、中心角θが８０〜１２０度の扇形に形成されている。したがって、吐出口Ｒから吐出された洗浄水は、扇形に広がって、尿受け面３０（図２）の広い範囲に与えられる。
【００４３】
図２に示すように、吐水具１０から尿受け面３０の幅方向中央部３０ａに与えられた洗浄水は、尿受け面３０をそのまま流下して、排水口３２から便槽１４（図１）に排出される。一方、尿受け面３０の幅方向中央部３０ａを挟んだ両側の部分３０ｂ，３０ｃに与えられた洗浄水は、尿受け面３０を流下して、第１段差部３６および第２段差部３８に到達し、導水面３６ｃ，３８ｃを流れて、ボール部２８の前部２８ａの内面に与えられ、その後、排水口３２から便槽１４（図１）に排出される。
【００４４】
図１に示すトイレ１２では、洗浄水を人力式のポンプ２２で吐水具１０に与えるようにしているが、トイレ１２の使用環境によっては、上水道（図示省略）の水をそのまま洗浄水として吐水具１０に与えることができる場合がある。そのような場合には、吐水具１０の洗浄効果を高めるために、図４に示す第２部材４２を他の第２部材（図示省略）に交換してもよい。例えば、尿受け面３０のより広い範囲を洗浄したければ、第２部材４２を切欠き部５２の中心角θがより広い他の第２部材（図示省略）に交換してもよい。また、より多くの洗浄水で尿受け面３０を洗浄したければ、第２部材４２を厚さＴがより厚い他の第２部材（図示省略）に交換してもよい。
【００４５】
（吐水具１０およびトイレ１２の効果）
本実施形態によれば、上記構成により以下の各効果を奏することができる。すなわち、図３（Ｂ）に示すように、切欠き部５２を有する第２部材４２が壁部２６と第１部材４０との間に着脱可能に設けられており、これにより、下方に向けて開口された吐出口Ｒが構成されているので、第２部材４２を厚さＴ（図４）が異なるものに交換するだけで、吐出口Ｒの横断面積を変更することができる。また、図３（Ａ）に示すように、切欠き部５２は、尿受け面３０（図４）に沿った方向の幅が下方に向けて徐々に広くなるように形成されており、これにより、吐出口Ｒの幅が下方に向けて徐々に広くなっているので、第２部材４２を切欠き部５２の広がる程度が異なるものに交換するだけで、吐出口Ｒの広がる程度を変更することができる。つまり、第２部材４２を交換するだけで、吐出口Ｒの横断面積および吐出口Ｒの広がる程度の少なくとも一方を簡単に変更することができる。
【００４６】
また、第２部材４２は、切欠き部５２を有する単純な板状の部材であるため、複数種類の第２部材４２を交換のために予め準備しておく場合でも、これらを簡単かつ安価に製造することができる。また、第２部材４２は、板状の部材であるため、狭小なスペースでも嵩張ることなく保管することができる。
【００４７】
図３（Ａ）に示すように、切欠き部５２の内面５２ａが単純なＶ字状であることから、切欠き部５２を簡単に形成することができる。また、複数種類の第２部材４２を交換のために予め準備しておく場合には、Ｖ字状の内面５２ａが成す角度を変更するだけで、各第２部材４２間において、吐出口Ｒの広がる程度を簡単に異ならせることができる。
【００４８】
図３（Ｂ）に示す第２部材４２は、ゴム弾性を有する材料で形成されているので、壁部２６と第１部材４０との間に第２部材４２を挟んだときには、第２部材４２を圧縮することができ、第２部材４２をシール材（ガスケット）として機能させることができる。
【００４９】
図４に示す雌ネジ部７４ａ，７４ｂに対する雄ネジ部７２ａ，７２ｂのねじ込み量を調整することによって、第１部材４０と壁部２６との間隔ｔ（図３（Ｂ））を調整できるので、第２部材４２を厚さが異なるものに交換した場合でも、第１部材４０と壁部２６との間で第２部材４２を圧縮することができる。
【００５０】
図４に示すように、固定部材４６のフランジ部６２には、雄ネジ部７２ａ，７２ｂ，７２ｃが挿通される第４貫通孔６４ａ，６４ｂ，６４ｃが設けられているので、雄ネジ部７２ａ，７２ｂ，７２ｃと雌ネジ部７４ａ，７４ｂ，７４ｃとでフランジ部６２を壁部２６に固定できる。これにより、図３（Ｂ）に示す継手部６０の一方端部６０ａを給水口３４に固定できるとともに、第１部材４０および第２部材４２を壁部２６に取り付けることができる。
【００５１】
図２に示すように、段差部３６，３８は、給水口３４よりも下方における尿受け面３０の幅方向中央部３０ａを挟んだ両側の部分３０ｂ，３０ｃに設けられているが、吐水具１０は、尿受け面３０の広い範囲に洗浄水を吐出することができるので、洗浄水を段差部３６，３８に到達させることができる。したがって、洗浄水の一部を、導水面３６ｃ，３８ｃに流して、ボール部２８の前部２８ａの内面に与えることができ、ボール部２８の前部２８ａの内面を効果的に洗浄できる。
【００５２】
（変形例）
なお、本発明の実施にあたっては、上記実施形態に限定されず、本発明の目的を逸脱しない限りにおいて種々の変更が可能である。例えば、図４に示すように、上記実施形態では、第１部材４０および第２部材４２が円形に形成されているが、これらの形状は、特に限定されるものではなく、例えば、四角形や五角形などに形成されてもよい。また、図３（Ａ）に示すように、上記実施形態では、切欠き部５２の内面５２ａが、下方に向けて広がるＶ字状に形成されているが、切欠き部５２の内面５２ａの形状は、下方に向けて徐々に広がる形状であればよく、例えば、Ｕ字状や上底が開いた台形状に形成されてもよい。
【００５３】
上記実施形態では、図３（Ｂ）に示す第２部材４２がゴム弾性を有する材料で形成されているが、第２部材４２は、ゴム弾性を有しないステンレスなどで形成されてもよい。この場合には、壁部２６および第１部材４０のそれぞれと第２部材４２との間にシール材を設けてもよい。
【００５４】
図５は、第２部材の変形例を示す斜視図である。図４に示すように、上記実施形態では、第２部材４２の第２貫通孔５４ａ，５４ｂが円形孔に形成されているが、図５に示すように、第２部材４２の第２貫通孔８０ａ，８０ｂは、尿受け面３０（図２）に沿った方向に延びる長孔に形成されてもよい。例えば、上下方向に延びる長孔（図５）に形成されてもよいし、左右方向に延びる長孔（図示省略）に形成されてもよい。
【００５５】
図３（Ｂ）に示すように、第２部材４２の切欠き部５２は、給水口３４から供給された洗浄水を下方に吐出するための吐出口Ｒを構成する部分であり、尿受け面３０に対して直交する方向において給水口３４と位置的に重なるように設けられている。給水口３４から吐出口Ｒに流入する洗浄水の流路５６は、給水口３４と切欠き部５２との重なり量が大きくなるほど広くなる。第２貫通孔８０ａ，８０ｂを長孔にした構成（図５）では、第２部材４２を第２貫通孔８０ａ，８０ｂが延びる方向に移動させることによって、給水口３４と切欠き部５２との重なり量を調整できるので、洗浄水の流路５６の広さを調整できる。
【００５６】
図６は、第２部材４２の他の変形例を示す斜視図である。図４に示すように、上記実施形態では、壁部２６と第１部材４０との間に１枚の第２部材４２を設けるようにしているが、第２部材４２の数は、少なくとも１枚であればよく、図６に示すように、２枚の第２部材４２が設けられてもよいし、３枚以上の第２部材４２が設けられてもよい。これらの場合には、第２部材４２の枚数によって吐出口Ｒの横断面積を簡単に調整することができる。
【００５７】
また、上記実施形態においては、吐水具１０を男性用の小便器１８に採用した。しかし、吐水具１０は、使用者が着座した姿勢で用を足す洋式便器に採用することもできる。
【符号の説明】
【００５８】
Ｒ…吐出口、１０…吐水具、１２…トイレ、１８…小便器、２６…壁部、３０…尿受け面、
３４…給水口、４０…第１部材、４２…第２部材、５２…切欠き部
【図１】
2019007278.tif 000003
【図２】
2019007278.tif 000004
【図３】
2019007278.tif 000005
【図４】
2019007278.tif 000006
【図５】
2019007278.tif 000007
【図６】
2019007278.tif 000008